(57)【要約】【課題】塵芥を最大限に積載できる塵芥車を提供する。【解決手段】塵芥車１は、車体２と、塵芥を貯留できる貯留ドラムと、架装部材と、車体２に設けた電源４と、電源４から供給される電力に基づき貯留ドラムを回転させる電動機とを備える。塵芥車１によれば、貯留ドラムに投入できる塵芥の重量が、軽貨物自動車に積載できる最大積載量を超えない範囲で設定されているので、車体２の電源４から供給される電力に基づき電動機が発生する回転力だけで、塵芥を満載された貯留ドラムを回転させることができる。【選択図】図１
2009096596.tif 000002
【特許請求の範囲】
【請求項１】
軽貨物自動車の車体と、後端開口から投入される塵芥を螺旋羽根に従わせて内部に押込める貯留ドラムと、前記貯留ドラムの後端開口を開閉し前記後端開口に塵芥を投入する投入口を有する後部扉と、前記車体に前記貯留ドラムを回転自在に支持する架装部材と、前記車体に設けられた電源と、前記電源から供給される電力に基づき前記貯留ドラムを回転させる電動機とを備えることを特徴とする塵芥車。
【請求項２】
前記貯留ドラムが、前記車体の前方に向けられる前端部を有し、前記電動機が、前記貯留ドラムの前端部に取付けた従動輪、及び前記従動輪に巻掛した無端状牽体を介して、前記貯留ドラムに回転力を伝達することを特徴とする請求項１に記載の塵芥車。
【請求項３】
前記架装部材が、前記貯留ドラムに転がり接触して前記貯留ドラムを支持する複数のローラと、前記従動輪と前記貯留ドラムとの間に介在する支軸と、前記支軸を軸受けする軸受部材とを備えることを特徴とする請求項２に記載の塵芥車。
【請求項４】
前記貯留ドラムを箱型外装材に収納し、前記貯留ドラムと前記箱型外装材との間に積載スペースを確保したことを特徴とする請求項２又は３に記載の塵芥車。
【発明の詳細な説明】
【技術分野】
【０００１】
本発明は、家庭ゴミ等の塵芥を適度に圧縮し運搬する塵芥車に関する。
【背景技術】
【０００２】
特許文献１に示される従来例の塵芥車は、最大積載重量を２０００ｋｇ以上に設定されており、塵芥を満載した貯留ドラムを回転させるのに強大なトルクが必要である。そのため、エンジンの出力の一部を油圧ポンプに入力し、この油圧ポンプから供給される油圧に基づき回転する油圧モータによって貯留ドラムを回転させている。また、従来例の塵芥車は、油圧モータでピニオンを回転させ、このピニオンに噛み合う大径ギアを貯留ドラムに連結している。特許文献２は塵芥車の他の例を示している。
【特許文献１】特開平０８−２２５１０３号公報
【特許文献２】特開昭４０−１２５６４号公報
【発明の開示】
【発明が解決しようとする課題】
【０００３】
従来例の塵芥車は、幅員の狭い場所を走行するのに不向きである。そこで、狭い路地等に置かれた塵芥を収集する場合、軽貨物自動車を路地等に進入させ、その荷台に塵芥を積み上げている。しかしながら、荷台上で塵芥が嵩張ることになり、また悪臭や塵芥が飛散する等の難点がある。
【０００４】
また、軽貨物自動車の最大積載量は３５０ｋｇであるので、この車体に貯留ドラム及び油圧モータを搭載しようとすると、貯留ドラム、油圧モータ、これに付随する油圧ポンプ、方向制御弁、及び車体に貯留ドラムを回転自在に支持する架装部材の重量が、軽貨物自動車の車両総重量の中に占める割合が大きくなる。その分、軽貨物自動車に積載できる塵芥の重量が著しく制限されるという問題が起こる。
【０００５】
本発明は、上記の実情に鑑みて為されたものであり、塵芥を最大限に積載できる塵芥車を提供することを目的とする。
【課題を解決するための手段】
【０００６】
本発明に係る塵芥車は、軽貨物自動車の車体と、後端開口から投入される塵芥を螺旋羽根に従わせて内部に押込める貯留ドラムと、前記貯留ドラムの後端開口を開閉し前記後端開口に塵芥を投入する投入口を有する後部扉と、前記車体に前記貯留ドラムを回転自在に支持する架装部材と、前記車体に設けられた電源と、前記電源から供給される電力に基づき前記貯留ドラムを回転させる電動機とを備えることを特徴とする。
【０００７】
更に、本発明に係る塵芥車は、前記貯留ドラムが、前記車体の前方に向けられる前端部を有し、前記電動機が、前記貯留ドラムの前端部に取付けた従動輪、及び前記従動輪に巻掛した無端状牽体を介して、前記貯留ドラムに回転力を伝達することを特徴とする。
【０００８】
更に、本発明に係る塵芥車は、前記架装部材が、前記貯留ドラムに転がり接触して前記貯留ドラムを支持する複数のローラと、前記従動輪と前記貯留ドラムとの間に介在する支軸と、前記支軸を軸受けする軸受部材とを備えることを特徴とする。
【０００９】
更に、本発明に係る塵芥車は、前記貯留ドラムを箱型外装材に収納し、前記貯留ドラムと前記箱型外装材との間に積載スペースを確保したことを特徴とする。
【発明の効果】
【００１０】
本発明に係る塵芥車によれば、貯留ドラムに押込まれる塵芥の重量が、軽貨物自動車に積載できる最大積載量を超えない範囲で設定されているので、車体の電源から供給される電力に基づき電動機が発生する回転力だけで、塵芥を満載された貯留ドラムを回転させることができる。従って、当該塵芥車は、従来例の塵芥車に比較して、油圧ポンプやそれに付随するものが不要である分、車体に積載できる塵芥の重量を増やすことができる。
【００１１】
更に、本発明に係る塵芥車によれば、従動輪を貯留ドラムの前端部に取付け、従動輪に無端状牽体を巻掛しているので、これらの要素を、運転手が搭乗するキャビンと貯留ドラムとの間に納め、当該塵芥車の小型化を達成することができる。また、従来例のような大径ギアを貯留ドラムに連結する構造に比較して、ギアよりも軽い従動輪と無端状牽体を介して電動機の回転力を貯留ドラムに伝達できるので、当該塵芥車を軽量化するのに有利である。
【００１２】
更に、本発明に係る塵芥車は、貯留ドラムに転がり接触する複数のローラにより貯留ドラムを支持する一方、従動輪と貯留ドラムとの間に介在する支軸を、軸受部材で支承するので、架装部材の部品点数が少なく、当該塵芥車の軽量化、及び製造コストの低減を達成することができる。
【００１３】
更に、本発明に係る塵芥車によれば、貯留ドラムと箱型外装材との間に確保した積載スペースに、貯留ドラムに投入される塵芥と分別して収集する必要のある塵芥を収納することができる。従って、当該塵芥車の車体を不要に拡張することなく、車体に積載できる塵芥の体積を増やすことができる。
【発明を実施するための最良の形態】
【００１４】
図面は、特に断らない限り、図１乃至図４を参照する。塵芥車１は、車体２と、塵芥を貯留できる貯留ドラム３と、後述の架装部材と、車体２に設けた電源４と、電源４から供給される電力に基づき貯留ドラム３を回転させる電動機５とを備える。
【００１５】
車体２は、その前部にキャビン２１を設け、図に表れていないエンジンの出力により車輪２３を駆動するものである。電源４として例示したバッテリーは、エンジンのオルタネータ等の発電装置により充電される。貯留ドラム３は、車体２の前方に向けられる前端部３１と、車体２の後方に向けられる後端開口３２を有する。貯留ドラム３の胴部の内周には、２条の螺旋羽根３３が設けられ、更に６枚の回転翼板３４が後端開口３２の周縁に沿って互いに等ピッチで設けられている。符号３５は、貯留ドラム３を補強するリブを指している。
【００１６】
枠体６は、図４乃至図６に示すように、床構成枠６０、側枠材６１、横枠材６２、及び縦枠材６３を枠組みしたものである。床構成枠６０は車体２に固定され、電動機５は床構成枠６０に固定されている。電動機５の出力軸に取付けた駆動輪５１と、貯留ドラム３の前端部３１に固定した支軸５２と、支軸５２に取付けた従動輪５３と、駆動輪５１及び従動輪５３に巻掛した無端状牽体５４とは、電動機５の回転力を貯留ドラム３に伝達するものである。これらの要素は、キャビン２１と貯留ドラム３の前端部３１との間に納まるので、塵芥車１の小型化するのに有利である。図５の矢印α，βは、電動機５が貯留ドラム３を正転又は反転させる方向を指している。
【００１７】
駆動輪５１及び従動輪５３としてタイミングプーリをそれぞれ適用し、無端状牽体５４としてタイミングベルトを適用するのが望ましい。或いは、駆動輪５１及び従動輪５３をスプロケットとし、無端状牽体５４をエンドレスチェーンとしても良い。また、従来例のような大径ギアを貯留ドラム３に連結する構造に比較して、ギアよりも軽い従動輪５３と無端状牽体５４を適用することは、塵芥車１を軽量化するのに有利である。
【００１８】
貯留ドラム３及び電動機５は、図１に示す箱型外装材７に収納されている。箱型外装材７は、枠体６の上面、側面、及び前面に、化粧パネル７１をそれぞれ貼り付けたものである。箱型外装材７の後面には、図１，２に示すように、貯留ドラム３の後端開口３２を開閉する後部扉８が設けられている。後部扉８は、貯留ドラム３の後端開口３２に塵芥を導入する投入口８１を有し、更に後部扉８の表面には、投入口８１を開閉する投入口扉８２、及び複数の操作スイッチ８３が設けられている。これらの操作スイッチ８３は、電動機５が貯留ドラム３を回転させる方向の切換え、或いは、電動機５の起動又は停止をオペレータが指令するものである。
【００１９】
オペレータが貯留ドラム３に塵芥を投入するとき、貯留ドラム３の後端開口３２が後部扉８によって閉じられた状態で、電動機５が貯留ドラム３を正転させる。オペレータにより投入口８１に投入される塵芥は、後部扉８の裏面に固定されたシュート８４により投入口８１の真下へ案内された直後、回転翼板３４に掻き揚げられシュート８４の上方まで達する。そして、塵芥は、回転翼板３４からシュート８４の上面に落下し、この上面に沿って滑降し螺旋羽根３３まで達する。螺旋羽根３３は、塵芥を正転する貯留ドラム３の前端部３１へ向けて圧送し、貯留ドラム３の内部に塵芥を押込む役割を果たす。逆に、オペレータが後部扉８を開いたとき、電動機５が貯留ドラム３を反転させれば、塵芥は螺旋羽根３３に従い貯留ドラム３の後端開口３２から排出される。
【００２０】
また、図２に示す貯留ドラム３の胴部と箱型外装材７を構成する縦枠材６３との間を積載スペース７０として利用し、図に表れていない収納箱を積載スペース７０に配置しても良い。この場合、図１に示すように、積載スペースを開閉する側面扉７２を箱型外装材７に設けても良い。積載スペース７０の収納箱には、貯留ドラム３に投入される塵芥と分別して収集する必要のある塵芥を収納できるので、塵芥車１の車体２を不要に拡張することなく、車体２に積載できる塵芥の体積を増やすことができる。
【００２１】
図４，５に示すように、架装部材９は、４つのローラ９１を貯留ドラム３の胴部に転がり接触させ、支軸５２を支持台９３で支持された軸受部材９４によって軸受けしたものである。複数のローラ９１のうち下側の２つのローラ９１が貯留ドラム３を支持する。上側の２つのローラ９１は、塵芥車１の走行中に貯留ドラム３が跳ね上がるのを予防するものである。個々のローラ９１は、枠体６に取付けたブラケット９５に支持されている。このように、車体２に貯留ドラム３を回転自在に支持するための架装部材９の部品点数を可能な限り少なくすることで、塵芥車１の軽量化、及び製造コストの低減を達成することができる。
【００２２】
以上に述べた塵芥車１によれば、貯留ドラム３の内部に押込まれる塵芥の重量が、軽貨物自動車に積載できる最大積載量を超えない範囲で設定されているので、車体２の電源４から供給される電力に基づき電動機５が発生する回転力だけで、塵芥を満載された貯留ドラム３を回転させることができる。従って、塵芥車１は、従来例の塵芥車に比較して、油圧モータに付随する油圧ポンプ、及び方向制御弁が不要である分、車体２に積載できる塵芥の重量を増やすことができる。
【００２３】
尚、本発明は、その趣旨を逸脱しない範囲で当業者の知識に基づき種々なる改良、修正、又は変形を加えた態様で実施できる。例えば、電動機５は、車体２に固定されるリング状のステータと、このステータの内周面に対向するよう貯留ドラム３に固定されるリング状のロータとを備えるものであっても良い。また、車体２のエンジンは内燃機関に限られるものではなく、電動機であっても良い。
【産業上の利用可能性】
【００２４】
本発明に係る塵芥車の用途は、何ら限定されるものではなく、産業廃棄物の運搬に当該塵芥車を利用しても良い。また、当該塵芥車に係る技術は、軽貨物自動車以外の車体に適用することもできる。
【図面の簡単な説明】
【００２５】
【図１】本発明の実施形態に係る塵芥車の側面図。
【図２】本発明の実施形態に係る塵芥車の後面図。
【図３】（ａ）は本発明の実施形態に係る塵芥車に適用した貯留ドラムの一部を破断した側面図、（ｂ）はその後面図。
【図４】本発明の実施形態に係る塵芥車の要部を破断した側面図。
【図５】本発明の実施形態に係る塵芥車の要部の後面図。
【図６】本発明の実施形態に係る塵芥車の要部の前面図。
【符号の説明】
【００２６】
１：塵芥車
２：車体
３：貯留ドラム
４：電源
５：電動機
７：箱型外装材
８：後部扉
９：架装部材
３１：前端部
３２：後端開口
３３：螺旋羽根
５１：駆動輪
５２：支軸
５３：従動輪
５４：無端状牽体
７０：積載スペース
８１：投入口
９１：ローラ
９４：軸受部材
【図１】
2009096596.tif 000003
【図２】
2009096596.tif 000004
【図３】
2009096596.tif 000005
【図４】
2009096596.tif 000006
【図５】
2009096596.tif 000007
【図６】
2009096596.tif 000008